(57)【特許請求の範囲】
【請求項１】
静電潜像が形成される第１の感光体ドラムと、前記第１の感光体ドラムに形成された静電潜像を現像する第１の現像装置と、静電潜像が形成される第２の感光体ドラムと、前記第２の感光体ドラムに形成された静電潜像を現像する第２の現像装置と、回転可能であり前記第１の感光体ドラムと共に第１の一次転写部を形成し前記第２の感光体ドラムと共に第２の一次転写部を形成する中間転写体と、を有し、前記第１の感光体ドラムは前記中間転写体の回転方向に関して前記第２の感光体ドラムより上流側に配置される画像形成装置において、
記録材にトナー像を転写させるためのプリント信号を受けた場合、前記プリント信号を受けてから前記第１の感光体ドラムに現像された前記トナー像が前記第１の一次転写部で前記中間転写体に一次転写されるまでに、前記第２の現像装置で前記第２の感光体ドラムに現像したトナーパッチを前記第２の一次転写部に供給することを特徴とする画像形成装置。
【請求項２】
前記中間転写体の外周面に接触し前記中間転写体と共に二次転写部を形成し、前記二次転写部において前記トナー像を記録材に二次転写する二次転写部材を有し、
前記二次転写部材は、前記二次転写部に到達する前記トナーパッチを記録材に二次転写せず、前記二次転写部に到達するトナー像を記録材に二次転写することを特徴とする請求項１に記載の画像形成装置。
【請求項３】
前記中間転写体上の前記トナーパッチが前記二次転写部を通過する時に、前記二次転写部材にトナーの極性と同極性の電圧を印加することを特徴とする請求項２に記載の画像形成装置。
【請求項４】
前記トナーパッチは、少なくとも一本以上の横線画像であることを特徴とする請求項１〜３のいずれかの１項に記載の画像形成装置。
【請求項５】
前記中間転写体をクリーニングする中間転写体クリーニング手段を有し、前記中間転写体上のトナーは、中間転写体クリーニング手段によって帯電され、前記第１の感光体ドラムに逆転写されることを特徴とする請求項１〜４のいずれかの１項に記載の画像形成装置。
【請求項６】
前記中間転写体の中間転写体クリーニング手段は、ブラシ部材及び／又はローラ部材であることを特徴とする請求項５に記載の画像形成装置。
【請求項７】
前記中間転写体の回転移動方向の前記トナーパッチの幅が、中間転写体移動方向の前記一次転写部の幅よりも大きいことを特徴とする請求項１〜６のいずれかの１項に記載の画像形成装置。
【請求項８】
前記第１の感光体ドラムと前記第２の感光体ドラムと前記中間転写体は一つの駆動手段で駆動されることを特徴とする請求項１〜７のいずれかの１項に記載の画像形成装置。
【請求項９】
前記第１の現像装置は、前記第１の感光体ドラムに対して当接離間することが可能であることを特徴とする請求項１〜８のいずれかの１項に記載の画像形成装置。
【請求項１０】
前記第２の現像装置は、前記第２の感光体ドラムに対して当接離間することが可能であることを特徴とする請求項１〜９のいずれかの１項に記載の画像形成装置。
【請求項１１】
静電潜像が形成される第３の感光体ドラムと、前記第３の感光体ドラムに形成された静電潜像を現像する第３の現像装置と、静電潜像が形成される第４の感光体ドラムと、前記第４の感光体ドラムに形成された静電潜像を現像する第４の現像装置と、を有することを特徴とする請求項１〜１０のいずれかの１項に記載の画像形成装置。
【請求項１２】
前記第３の感光体ドラムと前記第４の感光体ドラムは、前記中間転写体の回転方向において、前記第２の感光体ドラムよりも下流側に配置されることを特徴とする請求項１１に記載の画像形成装置。
【請求項１３】
記録材にトナー像を転写させるためのプリント信号を受けた場合、前記プリント信号を受けてから前記第１の感光体ドラムに現像された前記トナー像が前記第１の一次転写部で前記中間転写体に一次転写されるまでに、前記第３の現像装置で前記第３の感光体ドラムに現像したトナーパッチを前記第３の感光体ドラムと前記中間転写体が形成する第３の一次転写部に供給し、且つ、前記第４の現像装置で前記第４の感光体ドラムに現像したトナーパッチを前記第４の感光体ドラムと前記中間転写体が形成する第４の一次転写部に供給することを特徴とする請求項１２に記載の画像形成装置。
【発明の詳細な説明】
【技術分野】
【０００１】
本発明は、電子写真方式の複写機又はプリンタ等の画像形成装置に関する。
【背景技術】
【０００２】
従来から、フルカラー画像を出力可能なカラー画像形成装置として、像担持体表面に形成されたトナー像を色ごとに順次、中間転写体表面に一旦転写（以下、「一次転写」という。）し、フルカラーの重畳画像を中間転写体表面に形成する。その後、中間転写体表面のフルカラートナー画像を記録材に転写（以下「二次転写」という。）させる構成のものが実用化されている。
【０００３】
このような画像形成装置では、中間転写体表面の移動速度と像担持体表面の移動速度に速度差があると、複数色のトナー像を像担持体から中間転写体に重畳する一次転写工程において、各色の位置がずれる現象が発生する場合がある。特に、最初に中間転写体表面に一次転写される色のトナー像と、最後に中間転写体表面に一次転写される色のトナー像との間には大きな位置のずれが発生しやすい。これは、それぞれの色のトナー像を転写する時に、像担持体と中間転写体の当接部（以下、「一次転写部」という。）に存在するトナーの量が違うために発生する現象である。一色目の一次転写工程は、その表面にほとんどトナーが存在していない中間転写体表面に対して行われるのに対して、二色目以降の一次転写工程は既にトナーの存在する中間転写体表面に対して行われる。このため、一次転写部における像担持体と中間転写体の間に働く摩擦力が、一次転写部でのトナーの有無により異なるために、中間転写体表面の移動速度が変化し、色間でのトナー像の位置のずれが発生する。
【０００４】
このような色間でのトナー像の位置のずれの発生を抑制するために、像担持体表面に微小なドット状の多数のドットトナー像を形成し中間転写体上の画像領域内に転写する構成が、特許文献１に記載されている。これは、微量のトナーを像担持体表面、中間転写体表面に存在させることにより、両表面が互いに滑りやすくなり、トナー像の位置のずれが発生することを防ぐことができるというものである。また、他の手段として、特許文献２には、一色目の一次転写工程に先だって、中間転写体上の１周回前から、一色目の現像装置を構成する現像ローラにバイアスを印加する。これにより微量の１色目のトナーが像担持体にのり、像担持体と中間転写体の間の摩擦力を低減させるという構成が記載されている。
【先行技術文献】
【特許文献】
【０００５】
【特許文献１】特開２００６−２３５６５８号公報
【特許文献２】特開２００６−３１０４３号公報
【発明の概要】
【発明が解決しようとする課題】
【０００６】
上述のような特許文献１の構成の画像形成装置では、中間転写体を張架するローラ類のわずかな偏心や、像担持体と中間転写体の画像形成装置への組付け誤差などによって生じる位置ずれには効果がある。つまり、一次転写工程中の像担持体表面と中間転写体表面の速度差がわずかな場合にはトナー像の位置ずれ抑制の効果が見込める。しかしながら、前回転動作で蓄積された中間転写体の弛みや伸び、中間転写体の駆動ローラのギア間の緩みや歪みが、トナーによって解放される際に発生する中間転写体の速度変動に対しては、効果的ではない。
【０００７】
つまり、プリント画像を印刷する画像形成動作の前に、像担持体と中間転写体を回転駆動させる前回転動作によって、上述のような弛み等が蓄積し、その弛み等が、一次転写部にトナーが侵入することで解放される際に中間転写体の速度変動が発生する。このような、画像形成領域内で速度変動が生じるために位置ずれした画像となってしまうという課題があった。
【０００８】
一方、特許文献２の構成の画像形成装置は、上述のような位置ずれにも効果が見込める。しかしながら、一色目の一次転写工程に先だって、中間転写体を１周回する必要がある。このため、プリント信号を受信してから一枚目をプリント完了するまでに時間を要するといった課題や、現像ローラの回転時間が延長し、現像装置内のトナーの劣化を早めてしまうといった課題があった。
【０００９】
本発明の目的は、前回転動作で蓄積された、中間転写体の駆動手段の緩みや歪み、中間転写体の弛みや伸び等を原因とするトナー像の位置ずれを、プリント信号を受信してからプリント画像を一次転写するまでの時間をほとんど延長することなく抑制することができる画像形成装置を提供することである。
【課題を解決するための手段】
【００１０】
上記目的は本発明に係る画像形成装置にて達成される。要約すれば、本発明は、静電潜像が形成される第１の感光体ドラムと、前記第１の感光体ドラムに形成された静電潜像を現像する第１の現像装置と、静電潜像が形成される第２の感光体ドラムと、前記第２の感光体ドラムに形成された静電潜像を現像する第２の現像装置と、回転可能であり前記第１の感光体ドラムと共に第１の一次転写部を形成し前記第２の感光体ドラムと共に第２の一次転写部を形成する中間転写体と、を有し、前記第１の感光体ドラムは前記中間転写体の回転方向に関して前記第２の感光体ドラムより上流側に配置される画像形成装置において、
記録材にトナー像を転写させるためのプリント信号を受けた場合、前記プリント信号を受けてから前記第１の感光体ドラムに現像された前記トナー像が前記第１の一次転写部で前記中間転写体に一次転写されるまでに、前記第２の現像装置で前記第２の感光体ドラムに現像したトナーパッチを前記第２の一次転写部に供給することを特徴とする画像形成装置である。
【発明の効果】
【００１１】
本発明によれば、前回転動作で蓄積された中間転写体の駆動ギア間の緩みや歪み、中間転写体の弛みや伸び等を原因とするトナー像の位置ずれを、プリント信号を受信してからプリント画像を一次転写するまでの時間をほとんど延長することなく、抑制することができる。
【図面の簡単な説明】
【００１２】
【図１】本発明の第１の実施例に係る画像形成装置を説明する図である。図１（ａ）は、実施例１に係る画像形成装置の概略全体図であり、図１（ｂ）は画像形成部の現像ローラの当接動作を説明する概略図である。
【図２】本発明の実施例１に係る画像形成モードを説明する図である。
【図３】本発明の実施例２に係る画像形成モードを説明する図である。
【発明を実施するための形態】
【００１３】
以下、本発明に係る画像形成装置を図面に則して更に詳しく説明する。
【００１４】
実施例１
図１（ａ）、（ｂ）を参照して、本発明に係る画像形成装置の一実施例の構成と動作の概要について説明する。図１（ａ）は、実施例１で用いる画像形成装置Ｐを示した概略構成図である。
【００１５】
画像形成装置Ｐは、複数の画像形成部３を備えている。本実施例では略直線状に配列された４つの画像形成部、即ち、それぞれ、イエロー（Ｙ）色、マゼンタ（Ｍ）色、シアン（Ｃ）色、ブラック（Ｋ）色の画像を形成する画像形成部３（３Ｙ、３Ｍ、３Ｃ、３Ｋ）を有している。各画像形成部３Ｙ、３Ｍ、３Ｃ、３Ｋは、それぞれ第一の像担持体としてのドラム型の電子写真感光体（以下、「感光体ドラム」という。）４（４Ｙ、４Ｍ、４Ｃ、４Ｋ）と、帯電手段としての帯電ローラ５（５Ｙ、５Ｍ、５Ｃ、５Ｋ）を有している。また、各画像形成部３（３Ｙ、３Ｍ、３Ｃ、３Ｋ）は、露光手段としての露光装置６と、現像手段としての現像装置７（７Ｙ、７Ｍ、７Ｃ、７Ｋ）を有している。さらに、各画像形成部３（３Ｙ、３Ｍ、３Ｃ、３Ｋ）は、像担持体上のトナーをクリーニングする像担持体クリーニング手段としてのクリーニング装置８（８Ｙ、８Ｍ、８Ｃ、８Ｋ）を有している。各現像装置７（７Ｙ、７Ｍ、７Ｃ、７Ｋ）は、現像剤担持体としてのローラ形状の現像ローラ１７（１７Ｙ、１７Ｍ、１７Ｃ、１７Ｋ）を有している。現像ローラ１７（１７Ｙ、１７Ｍ、１７Ｃ、１７Ｋ）には現像バイアス電源７０（７０Ｙ、７０Ｍ、７０Ｃ、７０Ｋ）が接続されている。図１（ｂ）をも参照すると、現像装置７（７Ｙ、７Ｍ、７Ｃ、７Ｋ）は離間手段（図示せず）にて感光体ドラム４（４Ｙ、４Ｍ、４Ｃ、４Ｋ）に当接離間可能に設置される。
【００１６】
画像形成開始信号が発せられると、各画像形成部３（３Ｙ、３Ｍ、３Ｃ、３Ｋ）の各感光体ドラム４（４Ｙ、４Ｍ、４Ｃ、４Ｋ）が、矢印方向に回転される。この時、現像装置７（７Ｙ、７Ｍ、７Ｃ、７Ｋ）の各現像ローラ１７（１７Ｙ、１７Ｍ、１７Ｃ、１７Ｋ）は、感光ドラム４（４Ｙ、４Ｍ、４Ｃ、４Ｋ）から離間された状態である。そして、感光体ドラム４（４Ｙ、４Ｍ、４Ｃ、４Ｋ）の外周面（表面）は帯電ローラ５（５Ｙ、５Ｍ、５Ｃ、５Ｋ）により一様に帯電される。感光体ドラム４（４Ｙ、４Ｍ、４Ｃ、４Ｋ）の表面が一様に帯電された後、現像装置７（７Ｙ、７Ｍ、７Ｃ、７Ｋ）は、現像バイアスを印加された状態で、感光体ドラム４（４Ｙ、４Ｍ、４Ｃ、４Ｋ）に当接される。即ち、現像装置７（７Ｙ、７Ｍ、７Ｃ、７Ｋ）は現像可能状態とされる。その感光体ドラム４（４Ｙ、４Ｍ、４Ｃ、４Ｋ）の表面の帯電面に露光装置６により画像情報に応じたレーザ光が照射されて静電潜像が形成される。この静電潜像は現像装置７（７Ｙ、７Ｍ、７Ｃ、７Ｋ）により各色のトナーを用いて顕像化されトナー像が形成される。
【００１７】
なお、本実施例においては、現像装置７（７Ｙ、７Ｍ、７Ｃ、７Ｋ）の当接離間動作、及び現像バイアスの印加は４つの画像形成部３（３Ｙ、３Ｍ、３Ｃ、３Ｋ）において同時に行われる。これにより、感光体ドラム４Ｙ表面にＹトナーが、感光体ドラム４Ｍ表面にＭトナー像が、感光体ドラム４Ｃ表面にＣトナー像が、感光体ドラム４Ｋ表面にＫトナー像が、それぞれ形成される。
【００１８】
本実施例では感光体ドラム４（４Ｙ、４Ｍ、４Ｃ、４Ｋ）はアルミシリンダ上に少なくとも電荷発生層とポリアリレート樹脂を含む電荷輸送層を有する負帯電性の有機光導電体であり、使用されるトナーは負極性トナーである。
【００１９】
画像形成部３（３Ｙ、３Ｍ、３Ｃ、３Ｋ）の配列方向に沿って設けられている第二の像担持体としての無端ベルト状の中間転写体（以下「中間転写ベルト」という。）９は、駆動ローラ９ａと、従動ローラ９ｂと、補助ローラ９ｃと、二次転写対向ローラ９ｄに張架されている。駆動ローラ９ａは、図１中の矢印方向に回転する。これにより、中間転写ベルト９は、各画像形成部３Ｙ、３Ｍ、３Ｃ、３Ｋに沿って、本実施例では１００ｍｍ／ｓのプロセス速度で回転移動される。この中間転写ベルト９の内周面（裏面）には、中間転写ベルト９を挟んで各感光体ドラム４（４Ｙ、４Ｍ、４Ｃ、４Ｋ）と対向して第一の転写手段としての一次転写ローラ１０（１０Ｙ、１０Ｍ、１０Ｃ、１０Ｋ）が配置されている。中間転写ベルト９と感光体ドラム４（４Ｙ、４Ｍ、４Ｃ、４Ｋ）は一次転写ローラ１０（１０Ｙ、１０Ｍ、１０Ｃ、１０Ｋ）によって、それぞれ一次転写部２（２Ｙ、２Ｍ、２Ｃ、２Ｋ）を形成している。一次転写部２Ｙと２Ｍ、２Ｍと２Ｃ、２Ｃと２Ｋとの距離は、本実施例ではおよそ７５ｍｍである。一次転写部２（２Ｙ、２Ｍ、２Ｃ、２Ｋ）の中間転写ベルト９移動方向の幅は、およそ１ｍｍ程度である。一次転写ローラ１０（１０Ｙ、１０Ｍ、１０Ｃ、１０Ｋ）には、それぞれ一次転写電源２０（２０Ｙ、２０Ｍ、２０Ｃ、２０Ｋ）が接続され、正負両極性の電圧が独立に印加可能である。一次転写工程中、一次転写ローラ１０（１０Ｙ、１０Ｍ、１０Ｃ、１０Ｋ）には、一次転写電源２０（２０Ｙ、２０Ｍ、２０Ｃ、２０Ｋ）により正極性（トナー極性とは逆極性）の電圧が印加される。
【００２０】
一次転写工程によって、感光体ドラム４（４Ｙ、４Ｍ、４Ｃ、４Ｋ）上に形成されたトナー像は一次転写部２（２Ｙ、２Ｍ、２Ｃ、２Ｋ）にてそれぞれ中間転写ベルト９に１次転写される。これによって、各色のトナー像が順次重ね転写（一次転写）され、中間転写ベルト９の表面にフルカラーのトナー像が形成される。感光体ドラム４（４Ｙ、４Ｍ、４Ｃ、４Ｋ）から中間転写ベルト９への一次転写が終了すると現像装置７（７Ｙ、７Ｍ、７Ｃ、７Ｋ）は再び感光体ドラム４（４Ｙ、４Ｍ、４Ｃ、４Ｋ）から離間した状態に移動し、現像バイアスの印加、及び回転動作は停止される。即ち、現像装置７（７Ｙ、７Ｍ、７Ｃ、７Ｋ）は現像不可能状態とされる。一次転写後に感光体ドラム４（４Ｙ、４Ｍ、４Ｃ、４Ｋ）表面に残った転写残トナーは、クリーニング装置８（８Ｙ、８Ｍ、８Ｃ、８Ｋ）に設けられている不図示のクリーニングブレードにより除去される。これにより感光体ドラム４（４Ｙ、４Ｍ、４Ｃ、４Ｋ）は次の画像形成に供される。
【００２１】
一方、画像形成装置Ｐの下部に設けられた給送カセット１１に積載収納されている記録材１８は、給送ローラ１２によって給送カセット１１から一枚ずつ分離給送され、レジストローラ対１３に給送される。レジストローラ対１３は、中間転写ベルト９上に形成されたトナー像に同期して記録材１８を中間転写ベルト９と二次転写ローラ１４とが形成する二次転写部１９に搬送する。これにより、記録材１８は、二次転写工程に供される。二次転写工程で、二次転写部１９を通過する記録材１８には中間転写ベルト９の表面からフルカラーのトナー像が二次転写される。二次転写工程中、二次転写ローラ１４には、正負両極性の電圧を印加可能な二次転写電源２１により正極性（トナー極性とは逆極性）の電圧が印加される。この帯電によって、記録材１８に中間転写ベルト９の表面上のトナー像が２次転写される。その後、未定着のトナー像を担持した記録材１８は定着手段Ｆに搬送され、定着手段Ｆで加熱及び加圧されることで、トナー像が記録材１８上に定着される。その後記録材１８は、定着手段Ｆから画像形成装置Ｐ外部の排出トレイ１５へ排出される。
【００２２】
二次転写後に中間転写ベルト９表面に残った転写残トナーは、中間転写体クリーニング手段であるクリーニング装置１６の作用により除去される。クリーニング装置１６はブラシ部材であるクリーニングブラシ２２とローラ部材であるクリーニングローラ２３によって構成されている。クリーニングブラシ２２によって中間転写ベルト９上の残トナーが均され、次にクリーニングローラ２３にて帯電される。帯電されたトナーは画像形成部３の感光体ドラム４（４Ｙ、４Ｍ、４Ｃ、４Ｋ）に逆転写され、像担持体クリーニング手段であるクリーニング装置８によって除去される。これにより中間転写ベルト９は次の画像形成に供される。
【００２３】
なお、本実施例における中間転写体クリーニング手段であるクリーニング装置１６は直接トナーを中間転写ベルト９上から取り込む構造、例えばクリーニングブレードを用いて掻きとる構造など、にはなっていない。これは、感光体ドラム４（４Ｙ、４Ｍ、４Ｃ、４Ｋ）と中間転写ベルト９上になるべくトナーを存在させ、感光体ドラム４（４Ｙ、４Ｍ、４Ｃ、４Ｋ）と中間転写ベルト９の間に発生する摩擦力を低減させるのに必要だからである。
【００２４】
ここで、本実施例では、中間転写ベルト９は外周が約７００ｍｍであり、厚みが約８０μｍのポリフッ化ビニリデン（ＰＶＤＦ）基層と厚みが約３μｍのアクリル樹脂を含む表層から成る。中間転写ベルト９の体積抵抗率は約５×１０10Ωｃｍである。
【００２５】
次に、本実施例の特徴である画像形成モードについて、図２を用いて説明する。
【００２６】
本実施例の画像形成装置Ｐは、プリントの指示を受けるとプリント画像を印刷するための画像形成モードを実行する。画像形成モードは、連続した前回転動作、画像形成動作、後回転動作からなる。
【００２７】
前回転動作では、プリントの指示（プリント指示）を受け、感光体ドラム４と駆動ローラ９ａを同時に駆動し始める（駆動開始）。本実施例においては４つの感光体ドラム４（４Ｙ、４Ｍ、４Ｃ、４Ｋ）と駆動ローラ９ａの回転駆動は一つのモータによって行われる。前回転動作が開始された時、現像装置７（７Ｙ、７Ｍ、７Ｃ、７Ｋ）は感光体ドラム４（４Ｙ、４Ｍ、４Ｃ、４Ｋ）から離間された状態でいる。本実施例では駆動ローラ９ａの直径は２４．５ｍｍで、その製造上およそ０．１％の外径公差を有している。一方、感光体ドラム４（４Ｙ、４Ｍ、４Ｃ、４Ｋ）の直径は２４ｍｍで、同様に０．１％の外径公差を有している。駆動ローラ９ａと感光体ドラム４（４Ｙ、４Ｍ、４Ｃ、４Ｋ）の直径が、それぞれ公差の中心の値であるとき、中間転写ベルト９と感光体ドラム４（４Ｙ、４Ｍ、４Ｃ、４Ｋ）の表面速度が同一となるよう設定されている。
【００２８】
感光体ドラム４（４Ｙ、４Ｍ、４Ｃ、４Ｋ）と中間転写ベルト９の回転駆動が開始され、感光体ドラム４（４Ｙ、４Ｍ、４Ｃ、４Ｋ）の表面が帯電ローラ５（５Ｙ、５Ｍ、５Ｃ、５Ｋ）により一様な電位（Ｖｄ電位）に帯電される。次に、感光体ドラム４（４Ｙ、４Ｍ、４Ｃ、４Ｋ）のＶｄ電位に対して所望の電流が流れるように、一次転写電源２０（２０Ｙ、２０Ｍ、２０Ｃ、２０Ｋ）は一次転写ローラ１０（１０Ｙ、１０Ｍ、１０Ｃ、１０Ｋ）に一次転写バイアス（固定電圧）を印加するように制御される。一次転写バイアスが印加されると、感光体ドラム４（４Ｙ、４Ｍ、４Ｃ、４Ｋ）と中間転写ベルト９の間には静電的な吸着力が加わり摩擦力が大きくなる。一次転写電源２０（２０Ｙ、２０Ｍ、２０Ｃ、２０Ｋ）により、所望の一次転写バイアスが印加されると、感光体ドラム４（４Ｙ、４Ｍ、４Ｃ、４Ｋ）に対して現像装置７（７Ｙ、７Ｍ、７Ｃ、７Ｋ）の当接動作を開始する。本実施例において前回転動作の開始から現像装置７（７Ｙ、７Ｍ、７Ｃ、７Ｋ）が当接するまでの時間はおよそ２．５秒程度である。
【００２９】
ここで、本実施例では、不必要な現像装置７（７Ｙ、７Ｍ、７Ｃ、７Ｋ）の回転によるトナーの劣化を防ぐために、現像装置７（７Ｙ、７Ｍ、７Ｃ、７Ｋ）を感光体ドラム４（４Ｙ、４Ｍ、４Ｃ、４Ｋ）から離間している。このような場合には、現像装置７（７Ｙ、７Ｍ、７Ｃ、７Ｋ）から感光体ドラム４（４Ｙ、４Ｍ、４Ｃ、４Ｋ）への極微量なトナーの転移（カブリ）がほとんど発生しないため、感光体ドラム４（４Ｙ、４Ｍ、４Ｃ、４Ｋ）と中間転写ベルト９の摩擦力が大きくなりやすい。この時、感光体ドラム４（４Ｙ、４Ｍ、４Ｃ、４Ｋ）と駆動ローラ９ａの直径が公差の範囲でばらついていると、感光体ドラム４（４Ｙ、４Ｍ、４Ｃ、４Ｋ）の表面速度と中間転写ベルト９の表面速度には、速度差が生じる。速度差がある場合、上述の感光体ドラム４（４Ｙ、４Ｍ、４Ｃ、４Ｋ）と中間転写ベルト９間の摩擦力により、速度の大小関係によっては中間転写ベルト９が感光体ドラム４（４Ｙ、４Ｍ、４Ｃ、４Ｋ）により駆動されたり、感光体ドラム４（４Ｙ、４Ｍ、４Ｃ、４Ｋ）が中間転写ベルト９の駆動の負荷になったりする。その結果、中間転写ベルト９の弛みや駆動ローラ９ａを駆動する駆動手段を構成するギア間の緩み、歪みなどが生じる。その状態でプリント画像の画像形成動作を行うと、各色間で位置ずれが発生してしまう場合がある。それは、プリント画像となるトナー像が感光体ドラム４（４Ｙ、４Ｍ、４Ｃ、４Ｋ）より一次転写部２（２Ｙ、２Ｍ、２Ｃ、２Ｋ）に供給されることで、感光体ドラム４（４Ｙ、４Ｍ、４Ｃ、４Ｋ）の表面と中間転写ベルト９の表面との間に働く摩擦力が減少するためである。つまり、摩擦力がある状態でプリント画像の画像形成と行うと、トナー像を中間転写ベルト９に転写するごとに摩擦力が転写されたトナー像によって徐々に減少する。それにともなって、中間転写ベルト９と感光体ドラム４（４Ｙ、４Ｍ、４Ｃ、４Ｋ）の表面速度が変動し、各色のトナー像を１次転写する際の位置がずれてしまう。
【００３０】
以下に、感光体ドラム４（４Ｙ、４Ｍ、４Ｃ、４Ｋ）と中間転写ベルト９の表面速度の大小関係がある場合に、それによって発生する位置ずれについてさらに詳しく説明する。
【００３１】
（１）感光体ドラム４（４Ｙ、４Ｍ、４Ｃ、４Ｋ）の表面速度が中間転写ベルト９の表面速度より速い場合
例えば、感光体ドラム４（４Ｙ、４Ｍ、４Ｃ、４Ｋ）の直径が公差の中心値よりも大きい場合や、駆動ローラ９ａの直径が公差の中心値よりも小さい場合などには、感光体ドラム４（４Ｙ、４Ｍ、４Ｃ、４Ｋ）の表面速度が中間転写ベルト９の表面速度よりも速くなる。こういった場合、摩擦によって感光体ドラム４（４Ｙ、４Ｍ、４Ｃ、４Ｋ）が中間転写ベルト９を搬送方向で下流側に押し込む力が、中間転写ベルト９にかかることになる。その結果、一次転写部２（２Ｙ、２Ｍ、２Ｃ、２Ｋ）の下流側で中間転写ベルト９に弛みが生じたり、駆動ローラ９ａが、感光体ドラム４（４Ｙ、４Ｍ、４Ｃ、４Ｋ）によって押し込まれた中間転写ベルト９に連れ回ることで、駆動ローラ９ａを駆動するギア間に緩みが生じたりする。この状態でプリント画像の画像形成が開始される。画像形成が開始されると、一次転写部２Ｙから一次転写部２Ｋに順次トナー像が供給されることになる。その結果、感光体ドラム４（４Ｙ、４Ｍ、４Ｃ、４Ｋ）と中間転写ベルト９との間に働く摩擦力が低減するため、４つの感光体ドラム４Ｙ、４Ｍ、４Ｃ、４Ｋが中間転写ベルト９を下流に押し込む力が減少する。つまり、それまでは感光体ドラム４（４Ｙ、４Ｍ、４Ｃ、４Ｋ）からの駆動力を受け、駆動ローラ９ａ単体での搬送速度よりも速い速度で搬送されていた中間転写ベルト９は、一次転写部２（２Ｙ、２Ｍ、２Ｃ、２Ｋ）に順次トナー像が供給されるに従い、感光体ドラム４（４Ｙ、４Ｍ、４Ｃ、４Ｋ）からの駆動力を受けなくなる。それにより、駆動ローラ９ａによる搬送速度まで速度が減少する。ところで、この感光体ドラム４（４Ｙ、４Ｍ、４Ｃ、４Ｋ）からの駆動力を受けなくなった時点では、上述のように、中間転写ベルト９には緩みがあったり、駆動ローラ９ａの駆動ギア間には緩みがあったりする。その場合、駆動ローラ９ａがそれらの弛みや緩みを解消する分だけ回転するまで、一次転写部２（２Ｙ、２Ｍ、２Ｃ、２Ｋ）に位置する中間転写ベルト９に駆動力をかけることができない。従って、弛みや緩みが解消するまでの時間、一次転写部２（２Ｙ、２Ｍ、２Ｃ、２Ｋ）では、中間転写ベルト９の速度が駆動ローラ９ａ単体による搬送速度よりも著しく低下してしまい、各色間での位置ずれが発生してしまう場合がある。
【００３２】
（２）感光体ドラム４（４Ｙ、４Ｍ、４Ｃ、４Ｋ）の表面速度が中間転写ベルト９の表面速度より遅い場合
一方で、例えば、感光体ドラム４（４Ｙ、４Ｍ、４Ｃ、４Ｋ）の直径が公差の中心値よりも小さい場合や、駆動ローラ９ａの直径が公差の中心値よりも大きい場合などには、感光体ドラム４（４Ｙ、４Ｍ、４Ｃ、４Ｋ）の表面速度が中間転写ベルト９の表面速度よりも遅くなる。こういった場合、摩擦によって感光体ドラム４（４Ｙ、４Ｍ、４Ｃ、４Ｋ）が中間転写ベルト９を搬送方向で上流側に引っ張る力が、中間転写ベルト９にかかることになる。その結果、駆動ローラ９ａが中間転写ベルト９を回転駆動するために、より大きな負荷トルクがかかり、駆動ローラ９ａを駆動するギアに歪みが生じる。この状態でプリント画像の画像形成が開始されると、一次転写部２Ｙ、２Ｍ、２Ｃ、２Ｋにおいて順次トナー像が供給されることになる。その結果、感光体ドラム４（４Ｙ、４Ｍ、４Ｃ、４Ｋ）と中間転写ベルト９との間に働く摩擦力が低減するため、４つの感光体ドラム４Ｙ、４Ｍ、４Ｃ、４Ｋが中間転写ベルト９を上流に引っ張る力が減少する。つまり、それまでは感光体ドラム４（４Ｙ、４Ｍ、４Ｃ、４Ｋ）からのブレーキ力を受け、駆動ローラ９ａ単体での搬送速度よりも遅い速度で搬送されていた中間転写ベルト９は、一次転写部２（２Ｙ、２Ｍ、２Ｃ、２Ｋ）において順次トナー像が供給されるに従い、感光体ドラム４（４Ｙ、４Ｍ、４Ｃ、４Ｋ）からのブレーキ力を受けなくなる。それにより、駆動ローラ９ａによる搬送速度まで速度が増加する。ところで、この感光体ドラム４（４Ｙ、４Ｍ、４Ｃ、４Ｋ）からのブレーキ力を受けなくなった時点では、上述のように、駆動ローラ９ａを駆動するギアに歪みがある。その場合、駆動ローラ９ａを駆動するギアの歪みが緩和されるまでの間、中間転写ベルト９にはより大きな駆動力がかかる。従って、歪みが緩和するまでの時間、中間転写ベルト９の速度が駆動ローラ９ａ単体による搬送速度よりも著しく増加してしまい、各色間での位置ずれが発生してしまう場合がある。
【００３３】
本実施例の画像形成装置Ｐは駆動ローラ９ａが一次転写部２（２Ｙ、２Ｍ、２Ｃ、２Ｋ）に対し、中間転写ベルト９の搬送方向下流側に位置するために、上述の関係となる。一方、駆動ローラ９ａが一次転写部２（２Ｙ、２Ｍ、２Ｃ、２Ｋ）の中間転写ベルト９の搬送方向上流側に位置する場合には、上記の関係が逆転する。
【００３４】
本実施例では上述の理由で発生する位置ずれを回避するためにプリント画像の画像形成動作を開始する前に、一次転写部２Ｍ、２Ｃ、２Ｋにプリント画像とは別のトナーパッチを供給する位置ずれ解消動作を実行する。
【００３５】
以下に位置ずれ解消動作の詳細を説明する。
【００３６】
本実施例にて、現像ローラ１７（１７Ｙ、１７Ｍ、１７Ｃ、１７Ｋ）は、感光体ドラム４（４Ｙ、４Ｍ、４Ｃ、４Ｋ）上の静電潜像を現像するのを可能にするために、感光体ドラム４（４Ｙ、４Ｍ、４Ｃ、４Ｋ）に当接するものとして説明した。一方、現像装置７（７Ｙ、７Ｍ、７Ｃ、７Ｋ）の他の構成例として、現像ローラ１７（１７Ｙ、１７Ｍ、１７Ｃ、）が、感光体ドラム４（４Ｙ、４Ｍ、４Ｃ、４Ｋ）に当接せずに、感光体ドラム４（４Ｙ、４Ｍ、４Ｃ、４Ｋ）へ静電力によってトナーが移動し、現像する現像装置７（７Ｙ、７Ｍ、７Ｃ、７Ｋ）がある。このような構成の現像装置７（７Ｙ、７Ｍ、７Ｃ、７Ｋ）においては、現像ローラ１７（１７Ｙ、１７Ｍ、１７Ｃ、１７Ｋ）は感光体ドラム４（４Ｙ、４Ｍ、４Ｃ、４Ｋ）に当接する必要がない。しかし、感光体ドラム４（４Ｙ、４Ｍ、４Ｃ、４Ｋ）上の静電潜像を現像するのを可能にする為に、現像バイアス印加等が行われる。この様な現像装置７（７Ｙ、７Ｍ、７Ｃ、７Ｋ）では現像バイアス等が印加され、現像ローラ１７（１７Ｙ、１７Ｍ、１７Ｃ，１７Ｋ）が現像可能とされた状態を現像可能状態という。
【００３７】
本実施例では現像装置７（７Ｙ、７Ｍ、７Ｃ、７Ｋ）の当接完了（現像可能状態への移行完了）からおよそ２５０ミリ秒後に感光体ドラム４Ｙへのプリント画像の潜像形成を開始する。現像装置７（７Ｙ、７Ｍ、７Ｃ、７Ｋ）の当接完了からプリント画像を感光体ドラム４Ｙへ潜像形成を開始する間で、現像装置７（７Ｙ、７Ｍ、７Ｃ、７Ｋ）の当接完了からおよそ１００ミリ秒後に、感光体ドラム４Ｍ、４Ｃ、４Ｋに対し、トナーパッチＴ（ＴＭ、ＴＣ、ＴＫ）の潜像形成を行う。このように本実施例では、中間転写ベルト９の回転方向において、記録材に転写されるトナー像が転写される画像領域に先行する非画像領域（記録材に転写されるトナー像が形成されない領域）にトナーパッチを供給する。本実施例において、トナーパッチＴ（ＴＭ、ＴＣ、ＴＫ）は、太さ０．１ｍｍ、中間体回転移動方向と直交する長手方向において、長手幅２２０ｍｍの横線を、０．５ｍｍの間隔で５回繰り返した画像である。本実施例においては上述のようなトナーパッチＴ（ＴＭ、ＴＣ、ＴＫ）としたが、これに限らない。トナーパッチＴ（ＴＭ、ＴＣ、ＴＫ）は、例えば、ベタ黒画像や市松模様の画像など、横線画像以外で、トナー量が一次転写部２（２Ｍ、２Ｃ、２Ｋ）に概均等に形成される画像であっても良い。本実施例ではトナーパッチＴ（ＴＭ、ＴＣ、ＴＫ）は横線を５回繰り返した画像だが、一本以上の横線画像であっても良い。なお、本実施例において中間転写ベルト９の回転移動方向最上流の感光体ドラム４ＹにトナーパッチＴＹを形成しない理由については後述する。
【００３８】
上述のようなトナーパッチＴ（ＴＭ、ＴＣ、ＴＫ）が現像装置７Ｍ、７Ｃ、７Ｋでトナー像として現像され、感光体ドラム４Ｍ、４Ｃ、４Ｋ上に形成される。形成されたトナーパッチＴ（ＴＭ、ＴＣ、ＴＫ）は、感光体ドラム４Ｍ、４Ｃ、４Ｋの回転駆動にともない、それぞれの感光体ドラム４Ｍ、４Ｃ、４Ｋと中間転写ベルト９が形成する一次転写部２Ｍ、２Ｃ、２Ｋに略同時に進入する。一次転写部２Ｍ、２Ｃ、２Ｋに進入したトナーパッチＴ（ＴＭ、ＴＣ、ＴＫ）は一次転写バイアス（トナーと逆極性の電圧、ここでは正極性）の印加された一次転写ローラ１０Ｍ、１０Ｃ、１０Ｋの作用を受け中間転写ベルト９上に転写される。追って、感光体ドラム４Ｙ、４Ｍ、４Ｃ、４Ｋに形成されたプリント画像が中間転写ベルト９上に順次転写される。本実施例の特徴である位置ずれ解消動作において、プリント画像に先だって一次転写部２に進入するトナーパッチＴ（ＴＭ、ＴＣ、ＴＫ）により、中間転写ベルト９上にトナーが供給され、中間転写ベルト９と感光体ドラム４（４Ｙ、４Ｍ、４Ｃ、４Ｋ）の間の摩擦力が低減する。これにより、前回転動作中に中間転写ベルト９の緩みや駆動ローラ９ａの駆動ギア間の緩み、歪みが生じていたとしても、プリント画像の画像形成前にそれらを解消し、プリント画像の画像形成中の中間転写ベルト９の速度を安定化させることができる。プリント画像の中間転写ベルト９への一次転写終了後、中間転写ベルト９の回転に伴い、二次転写部１９にはトナーパッチＴＫ、トナーパッチＴＣ、トナーパッチＴＭ、プリント画像が順次進入する。トナーパッチは中間転写ベルトの非画像領域に形成されているので、トナーパッチＴＭの後端が二次転写部に到達するタイミングは、記録材が二次転写部に到達するタイミングよりも早くなる。ここで、各色のトナーパッチＴ（ＴＭ、ＴＣ、ＴＫ）が二次転写部１９に進入するタイミングに合せて、二次転写電源２１より二次転写ローラ１４にトナーと同極性の電圧（ここでは負極性）を印加し、トナーパッチＴ（ＴＭ、ＴＣ、ＴＫ）が二次転写部１９を通過後に再び正極性の電圧を印加する。これによりトナーパッチＴ（ＴＭ、ＴＣ、ＴＫ）を形成するトナーが二次転写ローラ１４に付着することを抑制し、記録材１８の裏面汚れを軽減することができる。トナーパッチＴＭの通過後、二次転写ローラ１４には再び正極性の電圧を印加し、後続するプリント画像の二次転写工程を行う。
【００３９】
ここで、本実施例では、上述したように感光体ドラム４Ｙ上にはトナーパッチＴＹを形成しない。位置ずれを抑制する効果を考えれば、すべての感光体ドラム４（４Ｙ、４Ｍ、４Ｃ、４Ｋ）上にトナーパッチＴ（ＴＹ、ＴＭ、ＴＣ、ＴＫ）を形成することが望ましい。しかしながら、本実施例の画像形成装置Ｐで、トナーパッチＴＹを形成した場合、一次転写終了後の中間転写ベルト９上で、トナーパッチＴＹの後端とプリント画像先端との間の距離がおよそ１２．５ｍｍとなり、１００ｍｍ／ｓのプロセス速度においては、およそ１２５ミリ秒に相当する。本実施例の画像形成装置Ｐで採用した二次転写電源２１によって出力される負極性から正極性への電圧の切り替えには１５０ｍｓを要するため、トナーパッチＴＹを形成するとプリント画像に対して二次転写バイアス印加が間に合わない。上記の理由により、本実施例では感光体ドラム４Ｙ上にトナーパッチＴＹを形成していない。トナーパッチＴＹの後端とプリント画像先端との間の距離や、プロセス速度や、二次転写電源の構成によっては、二次転写バイアス印加が間に合う場合もあり、このような場合には、感光体ドラム４Ｙ上にトナーパッチＴＹを形成してもよい。
【００４０】
プリント画像の記録材１８への二次転写が終了した後、中間転写ベルト９上に残留した二次転写残トナーを中間転写ベルト９のクリーニング装置１６で回収、クリーニングするための後回転動作が実行される。本実施例では、位置ずれ解消動作は連続したプリントジョブの一枚目の前でのみ実行し、二枚以上のジョブの紙間では実行しない。
【００４１】
次に、本実施例の効果確認結果とその手法について説明する。
【００４２】
まず、本実施例の画像形成装置Ｐを用いて、温度２３℃湿度５０％の環境において、プロセス速度１００ｍｍ／ｓｅｃ（スループット：１分間に１８枚）の普通紙印刷用の画像形成モードにて位置ずれに対する効果確認を行った。駆動ローラ９ａとしては、駆動ローラ９ａの長手５箇所で測定した直径の平均値が公差の中心値よりも２５μｍ小さいものを使用した。また、感光体ドラム４（４Ｙ、４Ｍ、４Ｃ、４Ｋ）としては、感光体ドラム４（４Ｙ、４Ｍ、４Ｃ、４Ｋ）の長手５箇所で測定した直径の平均値が公差の中心値よりも２０μｍ程度大きいものを各画像形成部３（３Ｙ、３Ｍ、３Ｃ、３Ｋ）で使用した。記録材１８としてはＡ４サイズ、坪量８０ｇ／ｍ2の用紙（商標ＥＸＴＲＡ）を用い、長手幅１０ｍｍのＣ（シアン）、Ｍ（マゼンタ）、Ｙ（イエロー）、Ｋ（ブラック）の各色の横細線が、長手方向に繰返し並ぶ画像を印刷した。位置ずれ量は各色のＫ（ブラック）色横細線に対する搬送方向のずれ量で最大の値とした。用紙後端側に位置ずれするものをプラス方向、先端側に位置ずれするものをマイナス方向とした。
【００４３】
次に本実施例の効果を比較するために必要な比較例について説明する。
【００４４】
本比較例では、位置ずれ解消動作を実行しなかった。その他の構成は実施例１と同様のため省略する。
【００４５】
実施例１、比較例における位置ずれ画像に対する効果確認の結果を説明する。
【００４６】
【表１】
0006041518.tif 000002
【００４７】
表１に示すように、比較例では、許容できないレベルの位置ずれが発生した。
【００４８】
比較例に使用した画像形成装置Ｐでは、感光体ドラム４（４Ｙ、４Ｍ、４Ｃ、４Ｋ）の表面速度が、駆動ローラ９ａによって搬送される中間転写ベルト９の表面速度よりも速い。このため、一次転写部２（２Ｙ、２Ｍ、２Ｃ、２Ｋ）の下流での中間転写ベルト９の弛みや駆動ローラ９ａの駆動ギア間の緩みが生じ、プリント画像のトナー像が一次転写部２（２Ｙ、２Ｍ、２Ｃ、２Ｋ）に進入したことで中間転写ベルト９の搬送速度に変動が生じたことが原因であった。一方、実施例１の構成では、画像形成モードの実行中にプリント画像のトナー像が一次転写部２（２Ｙ、２Ｍ、２Ｃ、２Ｋ）に進入する前に、位置ずれ解消動作により形成したトナーパッチＴ（ＴＭ、ＴＣ、ＴＫ）が進入した時点で中間転写ベルト９の緩みや駆動ローラ９ａの駆動ギアの緩みが解消される。これにより、プリント画像の一次転写工程中に中間転写ベルト９の速度変動が発生しなかったため位置ずれが抑制された。
【００４９】
以上で説明したように、本実施例の画像形成モードでは、プリント画像のトナー像を感光体ドラム４（４Ｙ、４Ｍ、４Ｃ、４Ｋ）上に形成し中間転写ベルト９上に一次転写する。一方、上記プリント画像の一次転写前に、プリント画像とは別のトナーパッチＴＭ、ＴＣ、ＴＫを感光体ドラム４Ｍ、４Ｃ、４Ｋ上に形成し、中間転写ベルト９上に一次転写する。これにより、感光体ドラム４（４Ｙ、４Ｍ、４Ｃ、４Ｋ）の表面速度と駆動ローラ９ａによって搬送される中間転写ベルト９の表面速度に速度差がある場合にも、プリント画像を感光体ドラム４（４Ｙ、４Ｍ、４Ｃ、４Ｋ）から中間転写ベルト９上へ一次転写中の中間転写ベルト９の速度変動の発生を抑制できる。これにより、プリント時間をほとんど延長することなく位置ずれ画像の発生を軽減することが可能となる。本効果確認実験の結果から、本実施例の位置ずれ解消動作を実行することにより、各色の位置ずれの発生を抑制できることが確認された。
【００５０】
実施例２
次に、第二の実施例について説明する。
【００５１】
実施例２で用いる画像形成装置Ｐの構成は実施例１と同様であるため、説明を省略する。
【００５２】
実施例２は位置ずれ解消動作中に一次転写ローラ１０Ｍ、１０Ｃ、１０Ｋに印加する電圧の極性が実施例１とは異なる。実施例２の特徴である画像形成モードについて図３を用いて説明する。
【００５３】
本実施例では位置ずれ解消動作において、トナーパッチＴＭ、ＴＣ、ＴＫが一次転写部２Ｍ、２Ｃ、２Ｋに進入する際、一次転写ローラ１０Ｍ、１０Ｃ、１０Ｋに一次転写電源２０Ｍ、２０Ｃ、２０Ｋより負極性の電圧を印加する。印加する電圧は−３００Ｖである。それぞれの画像形成部３Ｍ、３Ｃ、３Ｋで形成したトナーパッチＴＭ、ＴＣ、ＴＫが一次転写部２Ｍ、２Ｃ、２Ｋを通過した後は、再び正極性の一次転写バイアスを印加し、プリント画像の一次転写に備える。本実施例においても、実施例１と同様の理由で、位置ずれ解消動作でトナーパッチＴは感光体ドラム４Ｍ、４Ｃ、４Ｋに対してのみ形成する。それ以外の動作ついても実施例１と同様である。
【００５４】
位置ずれ解消動作において形成したトナーパッチが一次転写部２Ｍ、２Ｃ、２Ｋを通過する際に一次転写ローラ１０Ｍ、１０Ｃ、１０Ｋに負極性の電圧を印加する。これにより、トナーパッチＴＭ、ＴＣ、ＴＫを形成するトナーのほとんどは、中間転写ベルト９上に転写されず感光体ドラム４Ｍ、４Ｃ、４Ｋ上に残留する。感光体ドラム４Ｍ、４Ｃ、４Ｋ上に残留したトナーはクリーニング装置８Ｍ、８Ｃ、８Ｋでクリーニングされる。
【００５５】
本実施例において、１次転写ローラ１０Ｍ、１０Ｃ、１０Ｋに印加された負極性の電圧によって、トナーパッチＴＭ、ＴＣ、ＴＫが中間転写ベルト９上にほとんど転写されないために、二次転写ローラ１４へのトナー付着を軽減できる。つまり、中間転写ベルト９上のトナーパッチＴ（ＴＭ、ＴＣ、ＴＫ）のトナー量が抑えられるため、中間転写ベル９及び２次転写ローラ１４の表面にトナーパッチＴ（ＴＭ、ＴＣ、ＴＫ）のトナーが転移するのを抑えられ、記録材１８裏面のトナー汚れを抑制することができる。
【００５６】
以上で説明したように、本実施例の画像形成モードでは、プリント画像のトナー像を感光体ドラム４（４Ｙ、４Ｍ、４Ｃ、４Ｋ）上に形成し中間転写ベルト９上に一次転写する前に、プリント画像とは別のトナーパッチＴ（ＴＭ、ＴＣ、ＴＫ）を感光体ドラム４（４Ｍ、４Ｃ、４Ｋ）上に形成し、一次転写部２（２Ｍ、２Ｃ、２Ｋ）に供給する。その際、一次転写ローラ１０（１０Ｍ、１０Ｃ、１０Ｋ）にトナーと同極性の電圧を印加することで、一次転写部２（２Ｍ、２Ｃ、２Ｋ）に供給したトナーパッチＴ（ＴＭ、ＴＣ、ＴＫ）は中間転写ベルト９上に転写されずに感光体ドラム４（４Ｍ、４Ｃ、４Ｋ）上に残留し、感光体ドラム４（４Ｍ、４Ｃ、４Ｋ）のクリーニング装置８（８Ｍ、８Ｃ、８Ｋ）により回収される。これにより、感光体ドラム４（４Ｙ、４Ｍ、４Ｃ、４Ｋ）の表面速度と駆動ローラ９ａによって搬送される中間転写ベルト９の表面速度に速度差がある場合にも、プリント画像を感光体ドラム４（４Ｙ、４Ｍ、４Ｃ、４Ｋ）から中間転写ベルト９上へ一次転写中の中間転写ベルト９の速度変動の発生を抑制できる。そして、プリント時間をほとんど延長することなく位置ずれ画像の発生を軽減することが可能となる。それに加えて、プリント画像の前に形成されるトナーパッチＴ（ＴＭ、ＴＣ、ＴＫ）が中間転写ベルト９上にほとんど転写されないために、記録材１８の裏汚れを軽減することが可能となる。
【００５７】
本発明の実施例として、インライン型中間転写方式の画像形成装置を用い、中間転写体の駆動ローラを一次転写部の中間転写体移動方向で下流に有する画像形成装置について説明した。また、本発明による位置ずれの抑制効果を、駆動ローラによる中間転写体の搬送速度が感光体ドラム表面の回転駆動速度よりも遅い場合について説明した。これらに限らず、中間転写体の搬送速度が感光体ドラム表面の回転駆動速度より速い場合に対しても有効である。さらに、中間転写体の駆動ローラを一次転写部の中間転写体上流に有する場合であっても、同様の効果がある。
【００５８】
本実施例では、トナーパッチとして、横線画像を用いたが、ベタ黒画像や斜線画像等であっても同様の効果が見込めることは明らかである。また、本実施例では、最上流の画像形成部を除く下流側の全ての画像形成部でトナーパッチを形成するとして説明した。しかしながら、場合によっては、一つの画像形成部でトナーパッチを形成することも可能である。また、本実施例では、一次転写部に供給するトナーパッチを、それぞれの画像形成部で形成した。しかしながら、中間転写体移動方向で上流に配置される画像形成部で形成されたトナーパッチを、より下流に配置された一次転写部に供給することもできる。この場合にも、同様の効果があることは明白である。
【符号の説明】
【００５９】
２        一次転写部
３        画像形成部
４        感光体ドラム
７        現像装置
９        中間転写ベルト
１０      一次転写ローラ
１４      二次転写ローラ
１７      現像ローラ
１８      記録材
２０      一次転写電源
２１      二次転写電源
【図１】
0006041518.tif 000003
【図２】
0006041518.tif 000004
【図３】
0006041518.tif 000005